(57)【要約】【課題】電熱保温服の構造を提供する。【解決手段】  保温服本体１０、帽子２０、ポケット１５内に収納された電源、及び一つのコントローラー４０で構成する電熱保温服であって、該保温服本体の後身頃１３の人体の肩部分に対応する裏地に電熱部品１４を設置し、該帽子の人体頚部に対応する裏地に電熱部品２１を設置し、これらを軟性防水層１４１、２１１で被覆して防水し、これらの電熱部品と電源を導電線２１２、４４で接続して発熱させることで、人体の肩部分及び頚部を加熱して保温し、高い保温効果発揮する。【選択図】図１
0003198957.tif 000002
【実用新案登録請求の範囲】
【請求項１】
保温服本体、帽子、電源及びコントローラーから構成され、
該保温服本体は左前身頃、右前身頃及び後身頃を具有し、該後身頃の人体の肩部分に対応する裏地に電熱部品を設置し、且つ該保温服本体に収納袋を設け、
該帽子の人体頚部に対応する裏地に電熱部品を設置し、該帽子の底縁と保温服本体の襟口の間に一つのファスナーを設けて着脱可能とし、
該電源は充電可能な電池として、保温服本体に設けた前記収納袋に収納し、及び
該コントローラーを一つのボックスの中にパッケージして、該ボックスを該保温服本体に縫い付けて固定し、該コントローラーはそれぞれ後身頃及び帽子の裏地に設置する電熱部品と電気的に接続し、且つ電源の電源アウトプット端子と電気的に接続したことを特徴とする電熱保温服の構造。
【請求項２】
前記後身頃及び帽子の裏地に設置する電熱部品はそれぞれ金属繊維発熱線を巻いたものであり、それの外側を軟性防水層で覆ったことを特徴とする請求項１記載の電熱保温服の構造。
【請求項３】
前記保温服本体の後身頃内側面にカイロを入れられるポケットを設けたことを特徴とする請求項１記載の電熱保温服の構造。
【請求項４】
前記保温服本体に設けた収納袋は、左前身頃の内側底部に設けたことを特徴とする請求項１記載の電熱保温服の構造。
【請求項５】
前記収納袋のポケット口にファスナーを設けたことを特徴とする請求項１或いは請求項４記載の電熱保温服の構造。
【請求項６】
前記コントローラーをパッケージするボックスを保温服本体の左前身頃の内側面に縫い付けたことを特徴とする請求項１記載の電熱保温服の構造。
【請求項７】
前記帽子の裏地に設置した電熱部品に導電線を設け、該導電線の一端は帽子の底縁から延伸して出て、且つ一つのプラグ端子を設けて帽子の外に露出するようにしたことを特徴とする請求項１記載の電熱保温服の構造。
【考案の詳細な説明】
【技術分野】
【０００１】
本考案は電熱保温服の構造に関し、特に保温服本体の人体肩部分に対応する後身頃及び、人体の頚部に対応する帽子の裏地にそれぞれ一つの電熱部品を設けることで、人体の肩部分及び頚部に熱を加えて保温することができ、保温効果を高めるのに役立つ電熱保温服の構造に関する。
【背景技術】
【０００２】
従来技術の衣服に電熱部品を設置した保温服は、ほぼ保温服本体の前身頃と後身頃の裏地にそれぞれ一つの電熱部品を設置し、電熱部品を通電して発する熱エネルギーにより、着用時に加熱保温効果を達成する。
【０００３】
従来技術の電熱保温服は、体を加熱保温する効果はあるが、電熱部品を衣服の前身頃と後身頃の裏地に設置することで得られる加熱保温効果は人体の上半身のみに限られる。よって、老弱婦女子供など、冷え性のある人たち、或いは低温の環境にて仕事する人にとっては、その保温効果は明らかに不足している。特に人体の頚部には呼吸管及び脳部に血液を提供して循環する血管などの重要な器官があるため、頚部の保温は重要な課題であるが、従来技術の電熱保温服は頚部を保温するデザインがないことを鑑みて、更なる改善が必要であった。
【先行技術文献】
【特許文献】
【０００４】
【特許文献１】登録実用新案３１９６１６６号公報
【特許文献２】登録実用新案３１６７８４８号公報
【考案の概要】
【考案が解決しようとする課題】
【０００５】
前記公知構造の欠点を解決するため、本考案は電熱保温服の構造を提供することを主な課題とする。
【課題を解決するための手段】
【０００６】
上述の目的を解決するために、本考案は電熱保温服の構造を提供するものである。該保温服本体の後身頃の人体の肩部分に対応する裏地に一つの電熱部品を設置し、該帽子の人体頚部に対応する裏地に一つの電熱部品を設置することで、人体の肩部分及び頚部を加熱して保温することができ、保温効果を高めるのに役立つ。
【考案の効果】
【０００７】
本考案は保温服本体の後身頃の人体の肩部分に対応する裏地に一つの電熱部品を設置し、該帽子の人体頚部に対応する裏地に一つの電熱部品を設置することで、人体の肩部分のほか、気管及び脳部に血液を提供して循環する血管などの重要な器官がある頚部をも加熱して保温することができ、保温効果を高めるのに役立つ。
【図面の簡単な説明】
【０００８】
【図１】本考案の電熱保温服の展開略図である。
【図２】本考案の電熱保温服の前視略図である。
【図３】本考案の電熱保温服の後視略図である。
【図４】本考案の電熱部品、コントローラー及び電源の接続関係の略図である。
【考案を実施するための形態】
【０００９】
以下、本考案の構造と特徴および効果を、最良実施例と図１〜図４の図面を参照しながら詳細に説明する。
【実施例】
【００１０】
図１、図２及び図４に示すのは、本考案の電熱保温服であり、それに含まれるのは一つの保温服本体１０、帽子２０、電源３０及びコントローラー４０である。
【００１１】
図１、図２及び図３に示すように、保温服本体１０は左前身頃１１、右前身頃１２及び後身頃１３を具有し、該後身頃１３の人体の肩部分に対応する裏地に一つの電熱部品１４を設置し、且つ該保温服本体１０に電源３０を収納できる一つの収納袋１５を設ける。
【００１２】
図１及び図３に示すように、最良実施例として、保温服本体１０の後身頃１３の該内側面に若干のカイロ(図に未掲載)を入れられるポケット１６を設ける。
【００１３】
図１及び図４に示すように、最良実施例として、前記の後身頃１３の裏地に電熱部品を設置し、一つの金属繊維発熱線を巻いたものであり、それの外側を一つの軟性防水層１４１で覆い、該電熱部品１４は導電線１４２を設けて軟性防水層１４１の外まで延伸する。
【００１４】
図１及び図２に示すように、最良実施例として、前記電源３０を収納する収納袋１５を保温服本体１０の左前身頃１１の内側底部に設置するが、それに限られず、該収納袋１５はまた保温服本体１０の便利に操作して使用できる如何なる位置に設置することもできる。
【００１５】
図１に示すように、最良実施例として、前記電源３０を収納する収納袋１５の該ポケット口にファスナー１７を設けるが、それに限られず、該ファスナー１７はボタン或いは面ファスナーとすることもできる。
【００１６】
図１、図２及び図３に示すように、帽子２０の人体頚部に対応する裏地に一つの電熱部品２１を設置し、該帽子２０の底縁と保温服本体１０の襟口の間にファスナー５０を設ける。該ファスナー５０により帽子２０は保温服本体１０と結合し、或いは帽子２０を保温服本体１０から外すことができる。
【００１７】
図１、図３及び図４に示すように、最良実施例として、前記帽子２０の裏地に設置する電熱部品２１は金属繊維発熱線を巻いたものであり、その外側を一つの軟性防水層１４１で覆い、該電熱部品１４は導電線１４２を設けて軟性防水層１４１の外まで延伸する。該導電線２１２の一端は帽子２０の底縁から延伸して出て、且つ一つのプラグ端子２１３を設けて帽子２０の外に露出する。
【００１８】
最良実施例として、前記導電線２１２の一端に設けるプラグ端子２１３に防水保護蓋２１４を設ける。
【００１９】
図２及び図４に示すように、電源３０は重複充電して使用できる電池とすることができ、保温服本体１０に設ける収納袋１５に収納し、該電源３０に電源アウトプットプラグ端子３１を設ける。
【００２０】
図１、図２及び図４に示すように、コントローラー４０を一つのボックス４１の中にパッケージし、該ボックス４１を該保温服本体１０に縫い付けて固定する。該コントローラー４０に含まれるのは一つの制御スイッチ、制御回路基板及び指示ランプ(コントローラー４０の制御スイッチ、制御回路基板及び指示ランプはボックス４１の中に入れてパッケージし、且つそれは一般的な制御回路であるため、これ以上説明書及び図式にて詳しく述べない)である。該コントローラー４０は、第一導電線４２、第二導電線４３及び第三導電線４４を設けてボックス４１の外に延伸する。該第一導電線４２と後身頃１３の裏地に設置する電熱部品１４の導電線１４２と電気接続する。該第二導電線４３の一端に一つのプラグ端子４３１を設置し、該プラグ端子４３１は帽子２０の裏地に設置する電熱部品２１の導電線２１２の一端にあるプラグ端子２１３と互いに挿して通電することができる。該第三導電線４４の一端は収納袋１５まで延伸し、且つ一つの電源インプットプラグ端子４４１を設け、該電源インプットプラグ端子４４１は電源３０の電源アウトプットプラグ端子３１と互いに挿して通電することで、該コントローラー４０の制御によって、同時に或いは個別に後身頃１３の裏地に設置する電熱部品１４及び帽子２０の裏地に設置した電熱部品２１に電力を提供する。
【００２１】
図１及び図２に示すように、最良実施例として、前記コントローラー４０をパッケージするボックス４１を保温服本体１０の左前身頃１１の内側面に縫い付ける。
【００２２】
最良実施例として、前記コントローラー４０をパッケージするボックス４１はゴム、シリコン或いは軟質プラスティックなど、一種の軟質材料を使って成型する防水のボックスである。
【００２３】
最良実施例として、前記第二導電線４３の一端に設けるプラグ端子４３１を保温服本体１０の左前身頃１１の襟口に近い位置に縫い付ける。
【００２４】
最良実施例として、前記第三導電線４４の一端に設ける電源インプットプラグ端子４４１に一つの防水保護蓋４４２を設ける。
【００２５】
前記の構造により、コントローラー４０をパッケージするボックス４１の表面を押すと、内部の制御スイッチを触れることができ、それによって電源を入れ、且つ制御回路基板を起動するため、電源３０が電流を提供し、後身頃１３の裏地に設置する電熱部品１４及び帽子２０の裏地に設置する電熱部品に流れる。また、コントローラー４０の制御により、後身頃１３の裏地に設置する電熱部品１４及び帽子２０の裏地に設置する電熱部品２１は同時に、或いはそれぞれ発熱するため、人体の肩部及び頚部を加熱保温し、寒さを防ぐ作用に達する。該コントローラー４０は後身頃１３の裏地に設置する電熱部品１４及び、帽子２０の裏地に設置する電熱部品２１に対し、強、中、弱の三段階の加熱モードを選択することができ、異なる状況で使用することができる。
【００２６】
前記の図式及び実施例で分かるように、本考案は後身頃１３の裏地に設置する電熱部品１４を利用し、人体の肩部を加熱して保温する。及び、帽子２０の裏地に設置する電熱部品２１を利用し、人体の頚部を加熱して保温することで、確実に保温効果を上げるのに役立つ。
【００２７】
以上の実施例による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【符号の説明】
【００２８】
１０  保温服本体
１１  左前身頃
１２  右前身頃
１３  後身頃
１４  電熱部品
１４１  軟性防水層
１４２  導電線
１５  収納袋
１６  ポケット
１７  ファスナー
２０  帽子
２１  電熱部品
２１１  軟性防水層
２１２  導電線
２１３  プラグ端子
２１４  防水保護蓋
３０  給電元件
３１  電源アウトプットプラグ端子
４０  コントローラー
４１  ボックス
４２  第一導電線
４３  第二導電線
４３１  プラグ端子
４４  第三導電線
４４１  プラグ端子
４４２  防水保護蓋
５０  ファスナー
【図１】
0003198957.tif 000003
【図２】
0003198957.tif 000004
【図３】
0003198957.tif 000005
【図４】
0003198957.tif 000006